【手続補正書】
【提出日】平成24年6月28日(2012.6.28)
【手続補正１】
【補正対象書類名】明細書
【補正対象項目名】０００８
【補正方法】変更
【補正の内容】
【０００８】
請求項１記載の文字読取装置は、画像取得部とタッチパネルを備えた文字読取装置であって、前記画像取得部により得られた画像内の文字領域を抽出するとともに、この抽出された文字領域の文字を認識して文字コードに変換する第１の文字認識手段と、前記タッチパネル上に設定された入力領域に手書きにより入力して得られた筆跡から文字を認識して文字コードに変換する第２の文字認識手段と、前記第１の文字認識手段により抽出された文字領域の画像を表示した状態で、この表示された文字領域に対応する位置とサイズで前記第２の文字認識手段の入力領域を設定する設定手段と、前記設定手段により設定された入力領域を対象として前記第２の文字認識手段により行われた筆跡の認識結果に基づいて、該入力領域に対応する文字領域の画像を対象として前記第１の文字認識手段により行われた認識結果を修正する修正手段と、を備えたことを特徴とする。
請求項２記載の発明は更に、前記第１の文字認識手段により誤認識した文字領域を判断する判断手段を更に備え、前記設定手段は、前記判断手段によって誤認識したと判断された文字領域の画像を対象として前記第２の文字認識手段の入力領域を設定することを特徴とする。
請求項３記載の発明は更に、前記判断手段によって誤認識したと判断された文字領域の画像と、この文字領域の画像を元に誤認識された修正対象の文字コードに対応した文字とを併設表示することを特徴とする。
請求項４記載の発明は更に、前記第１の文字認識手段または前記第２の文字認識手段による文字の認識結果である文字コードを対象に翻訳処理を実行する翻訳手段を更に備えたことを特徴とする。
請求項５記載の発明は更に、前記翻訳手段は、前記判断手段によって誤認識したと判断された文字領域がある場合に、前記修正手段により修正された文字の認識結果である文字コードを対象に翻訳処理を実行することを特徴とする。
請求項６記載の発明は更に、前記第１の文字認識手段は、画像内より複数の文字領域を検出するとともに、この抽出された各々の文字領域の文字に対して文字認識を行い、前記翻訳手段による翻訳の対象となる文字領域を選択する選択手段を更に備え、前記翻訳手段は、前記選択手段により選択された文字領域の文字の認識結果である文字コードを対象として翻訳処理を実行することを特徴とする。
請求項７記載の発明は更に、前記設定手段により設定された入力領域に対して行われたユーザ操作が、誤認文字の全体的な再入力であるのか、誤認文字の部分的な削除、または部分的な加筆であるのかを検出する検出手段を更に備え、前記修正手段は、該検出手段の検出結果が全体的な再入力である場合に前記誤認文字の全体を削除して新たに再入力を行い、部分的な削除である場合に前記誤認文字の指定部分を削除してこの削除後の文字に対応する文字コードに変更し、または、該検出手段の検出結果が部分的な加筆である場合に前記誤認文字の指定部分に加筆してこの加筆後の文字に対応する文字コードに修正することを特徴とする。
請求項８記載の文字読取装置は、画像として入力された文字を認識して文字コードに変換する文字読取装置において、誤認識文字を手書き修正するための手書き修正画面を表示する表示手段と、該手書き修正画面に対して行われたユーザ操作を検出する検出手段と、該検出手段の検出結果に基づいて前記文字コードを変更する変更手段とを備え、前記検出手段は、前記手書き修正画面に対して行われたユーザ操作が前記誤認文字の部分的な削除であるのかまたは部分的な加筆であるのかを判断し、前記変更手段は、該検出手段の検出結果が部分的な削除である場合に前記誤認文字の指定部分を削除してこの削除後の文字に対応する文字コードに変更し、または、該検出手段の検出結果が部分的な加筆である場合に前記誤認文字の指定部分に加筆してこの加筆後の文字に対応する文字コードに変更することを特徴とする。
請求項９記載の発明は更に、前記検出手段は、前記手書き修正画面に対して行われたユーザ操作が第一の操作パターンであったときに前記誤認文字の部分的な削除であると判断する一方、前記第１の操作パターンと異なる第２の操作パターンであったときに前記誤認文字の部分的な加筆であると判断することを特徴とする。
請求項１０記載の発明は更に、前記第一の操作パターンは削除対象部分のドラッグ操作であり、前記第２の操作パターンは加筆対象部分への線描画操作であることを特徴とする。
請求項１１記載の制御方法は、画像取得部とタッチパネルを備えた文字読取装置の制御方法において、前記画像取得部により得られた画像内の文字領域を抽出するとともに、この抽出された文字領域の文字を認識して文字コードに変換する第１の文字認識処理と、前記タッチパネル上に設定された入力領域に手書きにより入力して得られた筆跡から文字を認識して文字コードに変換する第２の文字認識処理と、前記第１の文字認識処理により抽出された文字領域の画像を表示した状態で、この表示された文字領域に対応する位置とサイズで前記第２の文字認識処理の入力領域を設定する設定処理と、前記設定処理により設定された入力領域を対象として前記第２の文字認識処理により行われた筆跡の認識結果に基づいて、該入力領域に対応する文字領域の画像を対象として前記第１の文字認識処理により行われた認識結果を修正する修正処理と、を含むことを特徴とする。
請求項１２記載の制御方法は、画像として入力された文字を認識して文字コードに変換する文字読取装置の制御方法において、誤認識文字を手書き修正するための手書き修正画面を表示する表示工程と、該手書き修正画面に対して行われたユーザ操作を検出する検出工程と、該検出工程の検出結果に基づいて前記文字コードを変更する変更工程とを含み、前記検出工程は、前記手書き修正画面に対して行われたユーザ操作が前記誤認文字の部分的な削除であるのかまたは部分的な加筆であるのかを判断し、前記変更工程は、該検出工程の検出結果が部分的な削除である場合に前記誤認文字の指定部分を削除してこの削除後の文字に対応する文字コードに変更し、または、該検出工程の検出結果が部分的な加筆である場合に前記誤認文字の指定部分に加筆してこの加筆後の文字に対応する文字コードに変更することを特徴とする。
請求項１３記載のプログラムは、画像取得部とタッチパネルを備えた文字読取装置のコンピュータに、前記画像取得部により得られた画像内の文字領域を抽出するとともに、この抽出された文字領域の文字を認識して文字コードに変換する第１の文字認識手段、前記タッチパネル上に設定された入力領域に手書きにより入力して得られた筆跡から文字を認識して文字コードに変換する第２の文字認識手段、前記第１の文字認識手段により抽出された文字領域の画像を表示した状態で、この表示された文字領域に対応する位置とサイズで前記第２の文字認識手段の入力領域を設定する設定手段、前記設定手段により設定された入力領域を対象として前記第２の文字認識手段により行われた筆跡の認識結果に基づいて、該入力領域に対応する文字領域の画像を対象として前記第１の文字認識手段により行われた認識結果を修正する修正手段としての機能を実現させることを特徴とする。
請求項１４記載のプログラムは、画像として入力された文字を認識して文字コードに変換する文字読取装置のコンピュータに、誤認識文字を手書き修正するための手書き修正画面を表示する表示手段、該手書き修正画面に対して行われたユーザ操作を検出する検出手段、及び、該検出手段の検出結果に基づいて前記文字コードを変更する変更手段としての機能を実現させるプログラムであって、前記検出手段は、前記手書き修正画面に対して行われたユーザ操作が前記誤認文字の部分的な削除であるのかまたは部分的な加筆であるのかを判断し、前記変更手段は、該検出手段の検出結果が部分的な削除である場合に前記誤認文字の指定部分を削除してこの削除後の文字に対応する文字コードに変更し、または、該検出手段の検出結果が部分的な加筆である場合に前記誤認文字の指定部分に加筆してこの加筆後の文字に対応する文字コードに変更することを特徴とする。
【手続補正２】
【補正対象書類名】特許請求の範囲
【補正対象項目名】全文
【補正方法】変更
【補正の内容】
【特許請求の範囲】
【請求項１】
画像取得部とタッチパネルを備えた文字読取装置であって、
前記画像取得部により得られた画像内の文字領域を抽出するとともに、この抽出された文字領域の文字を認識して文字コードに変換する第１の文字認識手段と、
前記タッチパネル上に設定された入力領域に手書きにより入力して得られた筆跡から文字を認識して文字コードに変換する第２の文字認識手段と、
前記第１の文字認識手段により抽出された文字領域の画像を表示した状態で、この表示された文字領域に対応する位置とサイズで前記第２の文字認識手段の入力領域を設定する設定手段と、
前記設定手段により設定された入力領域を対象として前記第２の文字認識手段により行われた筆跡の認識結果に基づいて、該入力領域に対応する文字領域の画像を対象として前記第１の文字認識手段により行われた認識結果を修正する修正手段と、
を備えたことを特徴とする文字読取装置。
【請求項２】
前記第１の文字認識手段により誤認識した文字領域を判断する判断手段を更に備え、
前記設定手段は、前記判断手段によって誤認識したと判断された文字領域の画像を対象として前記第２の文字認識手段の入力領域を設定することを特徴とする請求項１に記載の文字読取装置。
【請求項３】
前記判断手段によって誤認識したと判断された文字領域の画像と、この文字領域の画像を元に誤認識された修正対象の文字コードに対応した文字とを併設表示することを特徴とする請求項２に記載の文字読取装置。
【請求項４】
前記第１の文字認識手段または前記第２の文字認識手段による文字の認識結果である文字コードを対象に翻訳処理を実行する翻訳手段を更に備えたことを特徴とする請求項１乃至３に記載の文字読取装置。
【請求項５】
前記翻訳手段は、前記判断手段によって誤認識したと判断された文字領域がある場合に、前記修正手段により修正された文字の認識結果である文字コードを対象に翻訳処理を実行することを特徴とする請求項４に記載の文字読取装置。
【請求項６】
前記第１の文字認識手段は、画像内より複数の文字領域を検出するとともに、この抽出された各々の文字領域の文字に対して文字認識を行い、
前記翻訳手段による翻訳の対象となる文字領域を選択する選択手段を更に備え、
前記翻訳手段は、前記選択手段により選択された文字領域の文字の認識結果である文字コードを対象として翻訳処理を実行することを特徴とする請求項４または５に記載の文字読取装置。
【請求項７】
前記設定手段により設定された入力領域に対して行われたユーザ操作が、誤認文字の全体的な再入力であるのか、誤認文字の部分的な削除、または部分的な加筆であるのかを検出する検出手段を更に備え、
前記修正手段は、該検出手段の検出結果が全体的な再入力である場合に前記誤認文字の全体を削除して新たに再入力を行い、部分的な削除である場合に前記誤認文字の指定部分を削除してこの削除後の文字に対応する文字コードに変更し、または、該検出手段の検出結果が部分的な加筆である場合に前記誤認文字の指定部分に加筆してこの加筆後の文字に対応する文字コードに修正することを特徴とする請求項２に記載の文字読取装置。
【請求項８】
画像として入力された文字を認識して文字コードに変換する文字読取装置において、
誤認識文字を手書き修正するための手書き修正画面を表示する表示手段と、該手書き修正画面に対して行われたユーザ操作を検出する検出手段と、該検出手段の検出結果に基づいて前記文字コードを変更する変更手段とを備え、
前記検出手段は、前記手書き修正画面に対して行われたユーザ操作が前記誤認文字の部分的な削除であるのかまたは部分的な加筆であるのかを判断し、
前記変更手段は、該検出手段の検出結果が部分的な削除である場合に前記誤認文字の指定部分を削除してこの削除後の文字に対応する文字コードに変更し、または、該検出手段の検出結果が部分的な加筆である場合に前記誤認文字の指定部分に加筆してこの加筆後の文字に対応する文字コードに変更することを特徴とする文字読取装置。
【請求項９】
前記検出手段は、前記手書き修正画面に対して行われたユーザ操作が第一の操作パターンであったときに前記誤認文字の部分的な削除であると判断する一方、前記第１の操作パターンと異なる第２の操作パターンであったときに前記誤認文字の部分的な加筆であると判断することを特徴とする請求項８に記載の文字読取装置。
【請求項１０】
前記第一の操作パターンは削除対象部分のドラッグ操作であり、前記第２の操作パターンは加筆対象部分への線描画操作であることを特徴とする請求項９に記載の文字読取装置。
【請求項１１】
画像取得部とタッチパネルを備えた文字読取装置の制御方法において、
前記画像取得部により得られた画像内の文字領域を抽出するとともに、この抽出された文字領域の文字を認識して文字コードに変換する第１の文字認識処理と、
前記タッチパネル上に設定された入力領域に手書きにより入力して得られた筆跡から文字を認識して文字コードに変換する第２の文字認識処理と、
前記第１の文字認識処理により抽出された文字領域の画像を表示した状態で、この表示された文字領域に対応する位置とサイズで前記第２の文字認識処理の入力領域を設定する設定処理と、
前記設定処理により設定された入力領域を対象として前記第２の文字認識処理により行われた筆跡の認識結果に基づいて、該入力領域に対応する文字領域の画像を対象として前記第１の文字認識処理により行われた認識結果を修正する修正処理と、
を含むことを特徴とする制御方法。
【請求項１２】
画像として入力された文字を認識して文字コードに変換する文字読取装置の制御方法において、
誤認識文字を手書き修正するための手書き修正画面を表示する表示工程と、該手書き修正画面に対して行われたユーザ操作を検出する検出工程と、該検出工程の検出結果に基づいて前記文字コードを変更する変更工程とを含み、
前記検出工程は、前記手書き修正画面に対して行われたユーザ操作が前記誤認文字の部分的な削除であるのかまたは部分的な加筆であるのかを判断し、
前記変更工程は、該検出工程の検出結果が部分的な削除である場合に前記誤認文字の指定部分を削除してこの削除後の文字に対応する文字コードに変更し、または、該検出工程の検出結果が部分的な加筆である場合に前記誤認文字の指定部分に加筆してこの加筆後の文字に対応する文字コードに変更することを特徴とする制御方法。
【請求項１３】
画像取得部とタッチパネルを備えた文字読取装置のコンピュータに、
前記画像取得部により得られた画像内の文字領域を抽出するとともに、この抽出された文字領域の文字を認識して文字コードに変換する第１の文字認識手段、
前記タッチパネル上に設定された入力領域に手書きにより入力して得られた筆跡から文字を認識して文字コードに変換する第２の文字認識手段、
前記第１の文字認識手段により抽出された文字領域の画像を表示した状態で、この表示された文字領域に対応する位置とサイズで前記第２の文字認識手段の入力領域を設定する設定手段、
前記設定手段により設定された入力領域を対象として前記第２の文字認識手段により行われた筆跡の認識結果に基づいて、該入力領域に対応する文字領域の画像を対象として前記第１の文字認識手段により行われた認識結果を修正する修正手段
としての機能を実現させることを特徴とするプログラム。
【請求項１４】
画像として入力された文字を認識して文字コードに変換する文字読取装置のコンピュータに、
誤認識文字を手書き修正するための手書き修正画面を表示する表示手段、該手書き修正画面に対して行われたユーザ操作を検出する検出手段、及び、該検出手段の検出結果に基づいて前記文字コードを変更する変更手段としての機能を実現させるプログラムであって、
前記検出手段は、前記手書き修正画面に対して行われたユーザ操作が前記誤認文字の部分的な削除であるのかまたは部分的な加筆であるのかを判断し、
前記変更手段は、該検出手段の検出結果が部分的な削除である場合に前記誤認文字の指定部分を削除してこの削除後の文字に対応する文字コードに変更し、または、該検出手段の検出結果が部分的な加筆である場合に前記誤認文字の指定部分に加筆してこの加筆後の文字に対応する文字コードに変更することを特徴とするプログラム。